(57)【特許請求の範囲】
【請求項１】
底面部と側面部と上部フランジ部からなり、上部が開口している容器であって、側面部は底面部から上部フランジ部に向って拡がったテーパー形状になっており、
底面部は横長の長方形状であり、底面部の内側には凹部が設けられ、凹部は容器全体としては上げ底形状になっており、凹部の横幅は、一指し指の先端の腹の部分が納まる以上の大きさとし、凹部の外側の底面部の一端側から中央部付近に向かって、切り込み部を設けて、切り込み部始点を支点として上方に回動して、指で内容物を上方に移動できることを特徴とした合成樹脂製のケーキ収納容器。
【請求項２】
切り込み部は、底面部の中央部付近まで設け、切り込み部始点を底面部中央部付近に設けた請求項１記載の合成樹脂製のケーキ収納容器。
【請求項３】
切り込み部はＵ字状である請求項１記載の合成樹脂製のケーキ収納容器。
【発明の詳細な説明】
【技術分野】
【０００１】
本発明は、ケーキ特にプチケーキの合成樹脂製の容器に関するものである。
【背景技術】
【０００２】
従来、本発明のようなケーキの合成樹脂製の容器は存在しなかった。
特許文献１は、ケーキ製作用回転台の機能を有するものであるが、ケーキの取り出した、上蓋１２０を持ち上げ、ケーキ自体を裁断後、個々のケーキをホークやナイフ等食器で、持ち上げて食器に盛るものである。
特許文献２は、通常の紙製の包装箱であり、ケーキの出し入れは側面部３の開閉蓋５を開けて行なうものである。
特許文献３は、合成樹脂製のプラスチック容器の底シール部に突条を設けたものである。
【特許文献１】特開２００６−２０６０６６号公報
【特許文献２】特開２００７−１５７３８号公報
【特許文献３】特開平８−２１６２３８号公報
【発明の開示】
【発明が解決しようとする課題】
【０００３】
特許文献１は、ケーキを食器等に盛る場合に、ナイフ等の食器を使用するものであり、盛るときに使用者のスキルが重要である。特許文献２もケーキの取り出しに食器が必要である。特許文献３の底部の機能は本件発明と異なるものである。
本発明は、ケーキ特にプチケーキの容器からの取り出しが手を汚さず行なうことが出来る合成樹脂製のケーキ収納ケースを提供することを課題とする。
【課題を解決するための手段】
【０００４】
上記課題を解決するための本発明の構成は、底面部と側面部と上部フランジ部からなり、上部が開口している容器であって、側面部は底面部から上部フランジ部に向って拡がったテーパー形状になっており、底面部は横長の長方形状であり、底面部の内側には凹部が設けられ、凹部は容器全体としては上げ底形状になっており、凹部の横幅は、一指し指の先端の腹の部分が納まる以上の大きさとし、凹部の外側の底面部の一端側から中央部付近に向かって、切り込み部を設けて、切り込み部始点を支点として上方に回動して、指で内容物を上方に移動できる合成樹脂製のケーキ収納容器である。
切り込み部は、底面部の中央部付近まで設け、切り込み部始点を底面部中央部付近に設けると良い。又、切り込み部はＵ字状であると良い。
【発明の効果】
【０００５】
本発明の請求項１記載の発明は合成樹脂製のケーキ収納容器であり、底面部と側面部と上部フランジ部からなり、上部が開口している容器であって、底面部に切り込み部を設けて、切り込み始点を支点として上方に回動して、指で内容物を上方に移動できるので、内容物であるケーキを容易に取出しが可能であり、特にプチケーキなどは取り出した状態でそのまま食する事が可能である。又側面部は底面部から上部フランジ部に向って拡がったテーパー形状になっているので、ケーキを下方から押し上げた場合に取り出しやすい。更に底面部の内側には凹部が設けられ、凹部は容器全体としては上げ底形状になっており、凹部の横幅は、一指し指の先端の腹の部分が納まる以上の大きさなので、ケーキを取り出すときに凹部の上に載って上方に安定して移動し、ケーキを取り出しやすい。
請求項２は、切り込み部は、底面部の中央部付近まで設け、切り込み部始点を底面部中央部付近に設けたので、ケーキの上方への移動量を確保出来、底面部全体が回動する訳ではなので、指による押上動作を大きく取る必要がない。
請求項３は、切り込み部はＵ字状にしたものであり、人差し指等を切り込み部の先端部（切り込み部作用部分）に当てた時に、指の形状に合致し使い勝手が良い。
【発明を実施するための最良の形態】
【０００６】
本発明の合成樹脂製の容器は例えばＰＥＴなどで製造する。図１は本発明の容器の一例を示す斜視図、図３は同正面図で、１０は本発明の容器であり、底面部２０と側面部３０と上部フランジ部４０から構成されており、全体が横長の長方形状であり、上部に開口部５０がある。
【０００７】
図２は、図１の底面図であり、底面部２０は、長方形状であり、中心部に容器の形状と同形状の凹部２２が設けられている。凹部２２は容器全体としては上げ底形状になっている。
【０００８】
凹部２２の周辺には、傾斜部２４が設けられ、その更に周辺は平坦部２６になっており、これにより凹部２２は容器１０全体としては底面側からは、窪んだ状態になっている。なお、凹部２２の横幅は、使用者の一指し指の先端の腹の部分が納まる以上の大きさであることが必要である。逆に凹部２２の横幅が広すぎた場合には、底面部下方から使用者が上に突き上げた場合に、凹部部分のプラスチックが撓むことがあり、ケーキを上方に取り出すことが困難な場合があり、好ましくない。
【０００９】
平坦部２６には凹部の形状と同様の形状で、切り込み部２８が、長手方向の端部から底面部２０の中央付近まで設けられている。切り込み部２８は、全体に縦長のＵ字状に成っている。なお切り込み部の形状は、全体が全て切り込まれている場合だけでなく、一部で繋がっているミシン目状でも適用可能である。この場合には、使用者がケーキ等を上に押し上げようとする場合に、ミシン目が下からの使用者の力により、容易に壊れるものであることが必要である。
又切り込み部の大きさは、底面部２０の中央付近まで設けるのが好適であるが、長手方向の端部から中央方向に向かって、底面部２０の長手方向の長さの４分の１までであれば実用に供する。
又切り込み部の切り込み形状は、前記のＵ字上に限らず、コの字状でも良い。又、ケーキの横幅より切り込み部の横幅が小さくても、ケーキを上方に持ち上げるのに支障が無ければ良い。但し最低人差し指の横幅以上の幅は必要である。即ち、この幅より切り込み部の幅が小さいと切り込み部２８を上方に持ち上げるときに切り込み部２８の横幅部分に指が挟まり、人差し指が切り込み部２８の間をすり抜けることが出来ず、切り込み部２８を上方に移動できない。実施例では、横幅は１．５ｃｍ程度は必要である。
【００１０】
底面部２０の周縁の各角部は、Ｒ形状であり、ケーキの取り出しが円滑である。又底面部の周縁から側面部３０が立ち上がっており、側面部３０は短手側面部３２と長手側面部３４からなり、四方の角部はＲ形状になったＲ側面部３６になっている。そして側面部３０は全体に開口部５０に向って拡がったテーパー形状になっている。
【００１１】
側面部３０の上方は、フランジ部４０が接続しており、フランジ部４０の内側は開口部５０が開口し、ケーキ等を収納する（図４参照）。
【実施例】
【００１２】
ケーキ特にプチケーキを容器１０に収納する。そして、容器１０に合った蓋をフランジ４０の上から被せる。代替的な手段としては、プチケーキの上にセロファンを被せ、容器１０全体を合成樹脂製の袋に収納する（何れも図示せず。）。
【００１３】
容器１０に合った蓋或いは、容器１０を収納した合成樹脂製の袋から容器１０を取り出す。そして、図５は使用者が凹部２２に親指を下から押接して突き上げ、切り込み部２８の切り込み部始点２８Ｓを支点として、切り込み部が回動し、切り込み部作用部分２８ａが、上方に移動する。これにより、ケーキＣは切り込み部２８側が上方に突き出し、ケーキの３分の１ほどが、容器１０のフランジ部４０から上方に突き出される（図５参照）。使用者は、突き出たケーキをそのまま食することも可能である。これにより、使用者は手を汚さず、ケーキ特にプチケーキを食することが出来る。
【００１４】
なお、底面部の四隅のＲ形状や、側面部のＲ側面部３６は、ケーキ特にプチケーキの取り出し時に円滑に持ち上げが可能なように構成してある。
【００１５】
図６乃至図１１は、本発明の他の実施例を示すものであり、容器１０に横１８ｍｍ、縦７０ｍｍ、高さ３０ｍｍのプチケーキを収納するものであり、側面部３０の上方のフランジ部４０との接続部分で、段部を設けて、拡径した実施例である。図６は、その正面図、図７は背面図、図８は左側面図、図９は右側面図、図１０は平面図、図１１は底面図である。なお、図８と図９のフランジ部の横幅は図１０と図１１のフランジ部間の縦幅と同一である。また図８と図９の容器１０の深さは図６と図７の容器の深さと同一である。
【図面の簡単な説明】
【００１６】
【図１】本発明の斜視図である。
【図２】図１の底面図である。
【図３】図１の正面図である。
【図４】図１にケーキ等を収納した状態を示す斜視図である。
【図５】本発明の使用状態を示す斜視図である。
【図６】本発明の他の実施例の正面図
【図７】図６の背面図
【図８】図６の左側面図
【図９】図６の右側面図
【図１０】図６の平面図
【図１１】図６の底面図
【符号の説明】
【００１７】
Ｃ  ケーキ
１０    容器
２０  底面部
２２  凹部
２４  傾斜部
２６  平坦部
２８  切り込み部
２８Ｓ  切り込み部始点
２８ａ  切り込み部作用部分
３０  側面部
３２  短手側面部
３４  長手側面部
３６  Ｒ側面部
４０  上部フランジ部
５０  開口部
【図１】
0005340650.tif 000002
【図２】
0005340650.tif 000003
【図３】
0005340650.tif 000004
【図４】
0005340650.tif 000005
【図５】
0005340650.tif 000006
【図６】
0005340650.tif 000007
【図７】
0005340650.tif 000008
【図８】
0005340650.tif 000009
【図９】
0005340650.tif 000010
【図１０】
0005340650.tif 000011
【図１１】
0005340650.tif 000012